(57)【要約】【課題】製造コストが低いファン制御回路を提供する。【解決手段】本発明に係るファン制御回路は、サウスブリッジチップ及び発振回路を備える。サウスブリッジチップは、温度センサによって検出された温度に応じて制御信号を出力するために用いられ、発振回路は、サウスブリッジチップからの制御信号に応じてコンデンサの充電及び放電時間を制御し、且つコンデンサの充電及び放電時間に応じてファンに相応するデューティサイクルを有するパルス信号を出力して、ファンの回転速度を調整する。【選択図】図１
2014011801.tif 000002
【特許請求の範囲】
【請求項１】
温度センサによって検出された温度に応じて制御信号を出力するサウスブリッジチップと、
チップ抵抗器、第一ないし第四抵抗、第一コンデンサ及びパルス生成チップを備える発振回路と、
を備え、
前記チップ抵抗器の電源ピンは、第一電源端子に接続され、
前記チップ抵抗器の第一抵抗ピンは、前記第一抵抗を介して第二電源端子に接続され、前記チップ抵抗器の第一抵抗ピンは、前記第二抵抗を介して前記パルス生成チップの放電ピンにさらに接続され、
前記チップ抵抗器の第二抵抗ピンは、前記第三抵抗、第四抵抗及び第一コンデンサ介して接地され、前記チップ抵抗器の第二抵抗ピンは、前記パルス生成チップの放電ピンにさらに接続され、
前記パルス生成チップのトリガーピン及び閾値入力ピンは、前記第四抵抗と前記第一コンデンサとの間のノードにそれぞれ接続され、
前記チップ抵抗器は、前記サウスブリッジチップからの制御信号に応じてその定格の抵抗を異なる抵抗値の２つの抵抗に分割し、且つ前記第一抵抗ピン及び前記第二抵抗ピンによってそれぞれ出力し、これにより、前記第一コンデンサの充電及び放電時間を制御し、
前記パルス生成チップは、前記第一コンデンサの充電及び放電時間に応じてその出力ピンによってファンに相応するデューティサイクルを有するパルス信号を出力して、ファンの回転速度を調整することを特徴とするファン制御回路。
【請求項２】
前記発振回路は、第二コンデンサをさらに備え、
前記パルス生成チップの電源ピンは、前記第二コンデンサを介して接地されることを特徴とする請求項１に記載のファン制御回路。
【請求項３】
前記チップ抵抗器は、クロック信号ピン及びデータ信号ピンをさらに備え、
前記クロック信号ピン及びデータ信号ピンは、システム管理バスを形成し、
前記サウスブリッジチップは、前記システム管理バスを介して前記チップ抵抗器に制御信号を出力することを特徴とする請求項１又は２に記載のファン制御回路。
【請求項４】
前記発振回路は、第一ダイオード及び第二ダイオードをさらに備え、
第一ダイオードは、前記第四抵抗と前記パルス生成チップのトリガーピンとの間に接続され、第一ダイオードのアノードは、前記パルス生成チップのトリガーピン及び閾値入力ピンにそれぞれ接続され、第一ダイオードのカソードは、前記第四抵抗に接続され、
第二ダイオードのカソードは、第一ダイオードのアノードに接続され、第二ダイオードカソードのアノードは、前記パルス生成チップの放電ピンに接続されることを特徴とする請求項１ないし３のいずれか１項に記載のファン制御回路。
【発明の詳細な説明】
【技術分野】
【０００１】
本発明は、ファン制御回路に関するものである。
【背景技術】
【０００２】
コンピュータ内の中央処理装置（ＣＰＵ）などの電子部品は、一般的に、ファンによって放熱され、ファンの回転速度は、サウスブリッジチップなどのコントローラが、温度センサによって検出された電子部品の温度に応じて、ファンにパルス信号を出力するようにＨＷモニタチップ（ＨＷ  ｍｏｎｉｔｏｒ）を制御することで調整する。しかし、ＨＷモニタチップは高価であるため、製造コストが高い。
【発明の概要】
【発明が解決しようとする課題】
【０００３】
前記課題を解決するために、本発明は、製造コストが低いファン制御回路を提供する。
【課題を解決するための手段】
【０００４】
本発明に係るファン制御回路は、温度センサによって検出された温度に応じて制御信号を出力するサウスブリッジチップと、チップ抵抗器、第一ないし第四抵抗、第一コンデンサ及びパルス生成チップを備える発振回路と、を備える。前記チップ抵抗器の電源ピンは、第一電源端子に接続され、前記チップ抵抗器の第一抵抗ピンは、前記第一抵抗を介して第二電源端子に接続され、前記チップ抵抗器の第一抵抗ピンは、前記第二抵抗を介して前記パルス生成チップの放電ピンにさらに接続され、前記チップ抵抗器の第二抵抗ピンは、前記第三抵抗、第四抵抗及び第一コンデンサ介して接地され、前記チップ抵抗器の第二抵抗ピンは、前記パルス生成チップの放電ピンにさらに接続され、前記パルス生成チップのトリガーピン及び閾値入力ピンは、前記第四抵抗と前記第一コンデンサとの間のノードにそれぞれ接続され、前記チップ抵抗器は、前記サウスブリッジチップからの制御信号に応じてその定格の抵抗を異なる抵抗値の２つの抵抗に分割し、且つ前記第一抵抗ピン及び前記第二抵抗ピンによってそれぞれ出力し、これにより、前記第一コンデンサの充電及び放電時間を制御し、前記パルス生成チップは、前記第一コンデンサの充電及び放電時間に応じてその出力ピンによってファンに相応するデューティサイクルを有するパルス信号を出力して、ファンの回転速度を調整する。
【発明の効果】
【０００５】
従来の技術と比べて、本発明のファン制御回路において、サウスブリッジチップは、温度センサによって検出された温度に応じてチップ抵抗器に制御信号を出力し、チップ抵抗器は、サウスブリッジチップからの制御信号に応じて第一コンデンサの充電時間及び放電時間を制御し、パルス生成チップは、第一コンデンサの充電時間及び放電時間に応じてファンに相応するデューティサイクルを有するパルス信号を出力して、ファンの回転速度を調整する。従って、本発明のファン制御回路は、パルス信号を出力するためのＨＷモニタチップを使用する必要がないため、製造コストを低減することができる。
【図面の簡単な説明】
【０００６】
【図１】本発明の実施形態に係るファン制御回路の回路図である。
【発明を実施するための形態】
【０００７】
以下、図面を参照して、本発明の実施形態について説明する。
【０００８】
図１を参照すると、本発明の実施形態に係るファン制御回路は、ファン２０の回転速度を制御するために用いられる。ファン制御回路は、サウスブリッジチップ１０及び発振回路３０を備える。サウスブリッジチップ１０は、温度センサ４０によって検出された電子部品の温度に応じて、ファン２０にパルス信号を出力するように発振回路３０を制御する。これにより、ファン２０の回転速度を制御する。
【０００９】
発振回路３０は、チップ抵抗器Ｕ１（例えば、ＩＳＬ９０７２７デジタルポテンショメータ）と、パルス生成チップＵ２（例えば、ＴＬＣ５５５ＣＤＲタイマー）と、４つの抵抗Ｒ１〜Ｒ４と、２つのダイオードＤ１，Ｄ２と、３つのコンデンサＣ１〜Ｃ３と、を備える。
【００１０】
チップ抵抗器Ｕ１の電源ピンＶＣＣは、電源端子Ｐ３Ｖ３に接続され、且つコンデンサＣ１を介して接地される。チップ抵抗器Ｕ１の第一抵抗ピンＲＨは、抵抗Ｒ１を介して電源端子Ｐ５Ｖに接続され、且つ抵抗Ｒ２を介してパルス生成チップＵ２の放電ピンＤＩＳに接続される。チップ抵抗器Ｕ１の第二抵抗ピンＲＷは、パルス生成チップＵ２の放電ピンＤＩＳに接続され、且つ抵抗Ｒ３及び抵抗Ｒ４を介してダイオードＤ２のカソードに接続される。ダイオードＤ２のアノードは、コンデンサＣ３を介して接地され、且つダイオードＤ１のカソードに接続される。ダイオードＤ１のアノードは、チップ抵抗器Ｕ１の第二抵抗ピンＲＷに接続される。チップ抵抗器Ｕ１の接地ピンＧＮＤは、抵抗Ｒ３と抵抗Ｒ４との間のノードに接続される。チップ抵抗器Ｕ１は、クロック信号ピンＳＣＬ及びデータ信号ピンＳＤＡをさらに備え、クロック信号ピンＳＣＬ及びデータ信号ピンＳＤＡは、システム管理バス（ＳＭｂｕｓ）を形成する。サウスブリッジチップ１０は、該システム管理バスを介してチップ抵抗器Ｕ１に制御信号を送信する。チップ抵抗器Ｕ１は、定格の抵抗を有するため、ポテンショメータに相当する。チップ抵抗器Ｕ１は、サウスブリッジチップ１０からの制御信号に応じて、その定格の抵抗を第一部分抵抗Ｒｐ及び第二部分抵抗Ｒｄに分割する。第一部分抵抗Ｒｐは、第一抵抗ピンＲＨによって出力することができ、第二部分抵抗Ｒｄは、第二抵抗ピンＲＷによって出力することができる。
【００１１】
パルス生成チップＵ２の電源ピンＶＤＤ及びリセットピンＲＥＳは、電源端子Ｐ５Ｖにそれぞれ接続される。パルス生成チップＵ２の接地ピンＧＮＤは接地される。パルス生成チップＵ２のトリガーピンＴＲＩ及び閾値入力ピンＴＨＲは、ダイオードＤ２のアノードに接続される。パルス生成チップＵ２の電圧制御ピンＣＯＮＴは、コンデンサＣ２を介して接地される。パルス生成チップＵ２は、コンデンサＣ３の充電時間及び放電時間に応じて、出力ピンＯＵＴによってファン２０にパルス信号を出力する。コンデンサＣ３が放電すると、パルス生成チップＵ２は、ハイレベルのパルス信号を出力し、コンデンサＣ３が充電すると、パルス生成チップＵ２は、ローレベルのパルス信号を出力する。その中で、パルス生成チップＵ２によって出力されたパルス信号のデューティサイクルは、以下の式１を満たす。
【００１２】
式１：
Ｔ１／（Ｔ１＋Ｔ２）
【００１３】
前記式１において、Ｔ１はコンデンサＣ３の充電時間であり、Ｔ２はコンデンサＣ３の放電時間である。
【００１４】
コンデンサＣ３の充電時間は、以下の式２を満たし、コンデンサＣ３の放電時間は、以下の式３を満たす。
【００１５】
式２：
Ｔ１＝（Ｒ１＋Ｒｐ／／Ｒ２）＊Ｃ３＊ｌｎ２
【００１６】
式３：
Ｔ２＝（Ｒ４＋Ｒｄ／／Ｒ３）＊Ｃ３＊ｌｎ２
【００１７】
前記式２及び式３において、Ｒｐ／／Ｒ２は、第一部分抵抗Ｒｐと抵抗Ｒ２が並列に接続された時の抵抗を表し、Ｒｄ／／Ｒ３は、第二部分抵抗Ｒｄと抵抗Ｒ３が並列に接続された時の抵抗を表す。Ｃ３はコンデンサＣ３の静電容量値を表し、Ｒ１は抵抗Ｒ１の抵抗値を表し、Ｒ４は抵抗Ｒ４の抵抗値を表す。
【００１８】
本発明のファン制御回路において、サウスブリッジチップ１０は、温度センサ４０によって検出された温度に応じてチップ抵抗器Ｕ１に制御信号を出力し、チップ抵抗器Ｕ１は、サウスブリッジチップ１０からの制御信号に応じてコンデンサＣ３の充電時間及び放電時間を制御し、パルス生成チップＵ２は、コンデンサＣ３の充電時間及び放電時間に応じてファン２０に相応するデューティサイクルを有するパルス信号を出力して、ファン２０の回転速度を調整する。従って、本発明のファン制御回路は、パルス信号を出力するためのＨＷモニタチップを使用する必要がないため、製造コストを低減することができる。
【符号の説明】
【００１９】
１０  サウスブリッジチップ
２０  ファン
３０  発振回路
４０  温度センサ
Ｕ１  チップ抵抗器
Ｕ２  パルス生成チップ
Ｒ１，Ｒ２，Ｒ３，Ｒ４  抵抗
Ｃ１，Ｃ２，Ｃ３  コンデンサ
Ｄ１，Ｄ２  ダイオード
Ｐ３Ｖ３，Ｐ５Ｖ  電源端子
ＶＣＣ，ＶＤＤ  電源ピン
ＳＣＬ  クロック信号ピン
ＳＤＡ  データ信号ピン
ＧＮＤ  接地ピン
ＲＨ  第一抵抗ピン
ＲＷ  第二抵抗ピン
ＤＩＳ  放電ピン
ＴＨＲ  閾値入力ピン
ＣＯＮＴ  電圧制御ピン
ＴＲＩ  トリガーピン
ＯＵＴ  出力ピン
ＲＥＳ  リセットピン
【図１】
2014011801.tif 000003